(57)【要約】【課題】  高音質な音を発生させるための音情報を提供することが可能な音情報提供システムを提供すること。【解決手段】  この音情報提供システム１ａは、携帯電話機３０から送信される、携帯電話機３５の電話番号及び携帯電話機３０の電話番号を受信する受信部１０１と、この受信した電話番号に基づいて、音声回線用音情報と、それよりも高音質の音を発生させるためのデータ回線用音情報と、を取得する音情報取得部１０２と、音声回線用音情報を携帯電話機３０に向けて、音声回線を経由して送信する第１送信部１０３と、データ回線用音情報を携帯電話機３０に向けて、音声回線と並行して利用可能なデータ回線を経由して送信する第２送信部１０４と、を備える。【選択図】  図１
2005328191.tif 000002
【特許請求の範囲】
【請求項１】
他の通信端末に対して発呼する際にネットワークから送信される音情報に基づいて所定の音を発生させることが可能な通信端末に対し、前記音情報を提供するための音情報提供システムであって、
発呼側の第１の通信端末から送信される、着呼側の第２の通信端末を特定するための第２端末特定情報及び前記第１の通信端末を特定するための第１端末特定情報を受信する受信手段と、
当該受信した第１端末特定情報及び第２端末特定情報に基づいて、第１の音質の音を発生させるための第１の音情報と、前記第１の音情報に対応する音情報であって前記第１の音質よりも高音質である第２の音質の音を発生させるための第２の音情報と、を取得する音情報取得手段と、
前記第１の音情報を前記第１の通信端末に向けて、音声回線を経由して送信する第１送信手段と、
前記第２の音情報を前記第１の通信端末に向けて、前記音声回線と並行して利用可能なデータ回線を経由して送信する第２送信手段と、
を備える音情報提供システム。
【請求項２】
前記第１送信手段によって送信された第１の音情報を受信する第１受信手段と、
前記第２送信手段によって送信された第２の音情報を受信し、受信情報格納手段に格納する第２受信手段と、
前記第１受信手段が受信した第１の音情報及び前記受信情報格納手段に格納された第２の音情報の少なくとも一方に基づいて再生用の音情報を生成する音情報生成手段と、
当該生成された再生用の音情報に基づいて音を発生する音発生手段と、
を備える請求項１に記載の音情報提供システム。
【請求項３】
前記音情報生成手段は、前記第１の音情報及び前記第２の音情報が存在する場合には、前記第２の音情報を優先させて前記再生用の音情報を生成する、請求項２に記載の音情報提供システム。
【請求項４】
前記音情報生成手段は、前記第１の音情報及び前記第２の音情報を重ね合わせて前記再生用の音情報を生成する、請求項２に記載の音情報提供システム。
【発明の詳細な説明】
【技術分野】
【０００１】
本発明は、他の通信端末に対して発呼する際にネットワークから送信される音情報に基づいて所定の音を発生させることが可能な通信端末に対し、音情報を提供するための音情報提供システムに関する。
【背景技術】
【０００２】
通信網を介して送られてくる情報に基づいて音を発生させることが可能な通信端末（固定電話機、移動機、ファクシミリ通信機等を含む。以下同じ。）から他の通信端末へ発呼する際に、その発呼動作の局面に応じて発信音（ダイヤルトーン、ＤＴ）、呼出音（リングバックトーン、ＲＢＴ）、話中音（ビジートーン、ＢＴ）といった音が発呼元の通信端末の受話部から出力される。これらの音は、通信網を通じて交換機から送られてくる電気信号を音に変換して出力されるものである。従って、それらの音は予め定められているものであった。これに対して、任意の音にＤＴやＲＢＴやＢＴを設定できる技術として下記特許文献１に記載されているようなものが知られている。
【特許文献１】特開２００２−３３８０１号公報
【発明の開示】
【発明が解決しようとする課題】
【０００３】
ところで、上記音を発生させるための音情報を通信端末に送信する際には、音声回線を使用することが一般的である。しかしながら、音声回線を通して送信できるデータ量がさほど多くないために、高音質の音発生させることができる音情報を送信することはできなかった。
【０００４】
そこで本発明では、高音質な音を発生させるための音情報を提供することが可能な音情報提供システムを提供することを目的とする。
【課題を解決するための手段】
【０００５】
本発明の音情報提供システムは、他の通信端末に対して発呼する際にネットワークから送信される音情報に基づいて所定の音を発生させることが可能な通信端末に対し、前記音情報を提供するための音情報提供システムであって、（１）発呼側の第１の通信端末から送信される、着呼側の第２の通信端末を特定するための第２端末特定情報及び第１の通信端末を特定するための第１端末特定情報を受信する受信手段と、（２）当該受信した第１端末特定情報及び第２端末特定情報に基づいて、第１の音質の音を発生させるための第１の音情報と、第１の音情報に対応する音情報であって第１の音質よりも高音質である第２の音質の音を発生させるための第２の音情報と、を取得する音情報取得手段と、（３）第１の音情報を第１の通信端末に向けて、音声回線を経由して送信する第１送信手段と、（４）第２の音情報を第１の通信端末に向けて、音声回線と並行して利用可能なデータ回線を経由して送信する第２送信手段と、を備える。
【０００６】
本発明の音情報提供システムによれば、第１の音情報と並行して第２の音情報を送信するので、より高音質な音を発生させるための情報を第１の通信端末に提供できる。
【０００７】
また本発明の音情報提供システムでは、（５）第１送信手段によって送信された第１の音情報を受信する第１受信手段と、（６）第２送信手段によって送信された第２の音情報を受信し、受信情報格納手段に格納する第２受信手段と、（７）第１受信手段が受信した第１の音情報及び受信情報格納手段に格納された第２の音情報の少なくとも一方に基づいて再生用の音情報を生成する音情報生成手段と、（８）当該生成された再生用の音情報に基づいて音を発生する音発生手段と、を備えることも好ましい。
【０００８】
本発明のこの好ましい態様によれば、第１の音情報及び第２の音情報の少なくとも一方に基づいて再生用の音情報を生成するので、高音質な音を発生させるための再生用の音情報を生成できる。
【０００９】
また本発明の音情報提供システムでは、音情報生成手段は、第１の音情報及び第２の音情報が存在する場合には、第２の音情報を優先させて再生用の音情報を生成することも好ましい。
【００１０】
本発明のこの好ましい態様によれば、第２の音情報を優先させて再生用の音情報を生成するので、第２の音情報が受信できた部分に関しては高音質な音を発生させるための再生用の音情報を生成できる。
【００１１】
また本発明の音情報提供システムでは、音情報生成手段は、第１の音情報及び第２の音情報を重ね合わせて再生用の音情報を生成することも好ましい。
【００１２】
本発明のこの好ましい態様によれば、第１の音情報に第２の音情報を重ね合せるので、第２の音情報が受信できた部分に関しては高音質な音を発生させるための再生用の音情報を生成できる。
【発明の効果】
【００１３】
本発明によれば、高音質な音を発生させるための音情報を提供することが可能となる。
【発明を実施するための最良の形態】
【００１４】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１５】
図１は本実施形態の音情報提供システム１ａの構成を示す図である。音情報提供システム１ａは、音情報提供装置１０と、携帯電話機３０（第１の通信端末）及び携帯電話機３５（第２の通信端末）とを備えている。音情報提供装置１０は、移動体通信網２０を介して携帯電話機３０及び携帯電話機３５に対して音情報を送信することが可能なように構成されている。移動体通信網２０は音声回線及びデータ通信回線の利用が可能なように構成されている。
【００１６】
携帯電話機３０及び携帯電話機３５は、音情報提供システム１０を利用するユーザが使用する携帯電話機であって、音声通話とデータ通信とが可能なように構成されている。尚、本実施形態では、携帯電話機３０から携帯電話機３５に対して発呼を行うことを例にとって説明する。
【００１７】
引き続いて、音情報提供装置１０について説明する。音情報提供装置１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。
【００１８】
音情報提供装置１０は、機能的な構成要素として、受信部１０１（受信手段）と、音情報取得部１０２（音情報取得手段）と、第１送信部１０３（第１送信手段）と、第２送信部１０４（第２送信手段）と、音情報格納部１１０と、を備えている。引き続いて、各構成要素について詳細に説明する。
【００１９】
受信部１０１は、発呼側の携帯電話機３０から送信される、着呼側の携帯電話機３５を特定するための電話番号（第２端末特定情報）及び携帯電話機３０を特定するための電話番号（第１端末特定情報）を受信する部分である。受信部１０１は受信した携帯電話機３０の電話番号及び携帯電話機３５の電話番号を音情報取得部１０２に出力する。
【００２０】
音情報取得部１０２は、受信部１０１が受信した携帯電話機３０の電話番号及び携帯電話機３５の電話番号に基づいて、通常音質（第１の音質）の音を発生させるための音声回線用音情報（第１の音情報）と、音声回線用音情報に対応する音情報であって通常音質よりも高音質である高品位音質（第２の音質）の音を発生させるためのデータ回線用音情報（第２の音情報）と、を取得する部分である。より具体的には、音情報取得部１０２は受信部１０１から出力される電話番号に基づいて、音情報格納部１１０に格納されている音情報を選択して第１送信部１０３及び第２送信部１０４に出力する。
【００２１】
ここで、音情報格納部１１０に格納されている情報について説明する。図２、図３（Ａ）、図３（Ｂ）は音情報格納部１１０に格納されている情報の例を示す図である。図２に示す例に拠れば、音情報格納部１１０には、「着信者番号（第２端末特定情報）」と、「発信者番号（第１端末特定情報）」と、「指定時間」と、「指定曜日」と、「音源ＩＤ」とが関連付けられて格納されている。「着信者番号」は、ここに該当する電話番号に対して発呼があった場合に、この「着信者番号」に対応する「指定時間」「指定曜日」「音源ＩＤ」を特定するためのキーとなる情報である。「発信者番号」は、ここに該当する電話番号の携帯電話機から発呼された場合に、この「発信者番号」に対応する他の情報を特定するためのキーとなる情報である。「指定時間」及び「指定曜日」は、この情報が指定されていればその条件に従うこととなる制限情報である。「音源ＩＤ」は、携帯電話機３０に提供する音情報を特定する情報である。
【００２２】
また、図３（Ａ）及び図３（Ｂ）に示すような情報も音情報格納部１１０に格納されている。図３（Ａ）は音楽関連の音情報が格納されている領域を、図３（Ｂ）は広告関連の音情報が格納されている領域を、それぞれ示している。図３（Ａ）及び図３（Ｂ）に示す例に拠れば、音情報格納部１１０には、「音源ＩＤ」と、「音声回線用音情報」と、「データ回線用音情報」とが関連付けられて格納されている。
【００２３】
音情報格納部１０２は、まず図２に示した格納情報から「音源ＩＤ」を特定し、その特定した音源ＩＤを用いて、図３（Ａ）及び図３（Ｂ）に示した格納情報から「音声回線用音情報」及び「データ回線用音情報」を特定する。図２において、発信者番号として格納されている「０９０−ＸＸＸＸ−ＹＹＹＹ」は携帯電話機３０の電話番号である。従って、携帯電話機３０を使用するユーザが、着信者番号として格納されている「０９０−ＸＸＸＸ−ＸＸＸＸ」（携帯電話機３５）に、「土曜日」の「１２時〜１８時」の間に電話をかけると、「広告０１」の音源ＩＤが特定され、「ａｄ０１１．ｗａｖ」の音声回線用音情報と「ａｄ０１２．ｗａｖ」のデータ回線用音情報とが特定される。
【００２４】
図１に戻って、音情報取得部１０２は取得した音声回線用音情報を第１送信部１０３に、データ回線用音情報は第２送信部１０４にそれぞれ電話番号と共に出力する。
【００２５】
第１送信部１０３は、音情報取得部１０２が出力する音声回線用音情報を音声回線を経由させて携帯電話機３０に送信する部分である。より具体的には、音声回線用音情報として「ａｄ０１１．ｗａｖ」が、電話番号として「０９０−ＸＸＸＸ−ＹＹＹＹ」が出力された場合には、第１送信部１０３は「ａｄ０１１．ｗａｖ」の音声回線用音情報を「０９０−ＸＸＸＸ−ＹＹＹＹ」の電話番号と共に移動体通信網２０に送信し、その音声回線用音情報「ａｄ０１１．ｗａｖ」は移動体通信網２０の音声回線を経由して「０９０−ＸＸＸＸ−ＹＹＹＹ」の電話番号で特定される携帯電話機３０に送信される。移動体通信網２０では、この音声回線用音情報「ａｄ０１１．ｗａｖ」を携帯電話機３０が携帯電話機３５と呼接続を確立するまで送り続け、呼接続が確立するとその送信を停止する。
【００２６】
第２送信部１０４は、音情報取得部１０２が出力するデータ回線用音情報をデータ回線を経由させて携帯電話機３０に送信する部分である。このデータ回線は音声回線と並行して利用可能な回線の一例である。より具体的に第２送信部１０４の動作を説明する。第２送信部１０４は、データ回線用音情報として「ａｄ０１２．ｗａｖ」が、電話番号として「０９０−ＸＸＸＸ−ＹＹＹＹ」が出力された場合には、「ａｄ０１２．ｗａｖ」のデータ回線用音情報を「０９０−ＸＸＸＸ−ＹＹＹＹ」の電話番号と共に移動体通信網２０に送信し、そのデータ回線用音情報「ａｄ０１２．ｗａｖ」は移動体通信網２０のデータ回線を経由したパケット通信で「０９０−ＸＸＸＸ−ＹＹＹＹ」の電話番号で特定される携帯電話機３０に送信される。
【００２７】
引き続いて、携帯電話機３０について説明する。携帯電話機３０は、物理的には、ＣＰＵ、ＲＡＭ、周波数変換チップ、パワーアンプ、フラッシュメモリー、アナログ・デジタル変換チップ、マイクロフォン、スピーカー、液晶ディスプレイ、及びテンキーといった機能部品を備えている。
【００２８】
携帯電話機３０は、機能的な構成要素として、第１受信部３０１（第１受信手段）と、第２受信部３０２（第２受信手段）と、音情報生成部３０３（音情報生成手段）と、音発生部３０４（音発生手段）と、受信情報格納部３１０（受信情報格納手段）とを備えている。引き続いて、各構成要素について詳細に説明する。
【００２９】
第１受信部３０１は、音情報提供装置１０の第１送信部１０３によって送信された音声回線用音情報を受信する部分である。第１受信部３０１は受信した音声回線用音情報を音情報生成部３０３に出力する。
【００３０】
第２受信部３０２は、音情報提供装置１０の第２送信部１０４によって送信されたデータ回線用音情報を受信する部分である。第２受信部３０２は受信したデータ回線用音情報を受信情報格納部３１０に順次格納する。
【００３１】
音情報生成部３０３は、第１受信部３０１が受信した音声回線用音情報及び受信情報格納部３１０に格納されているデータ回線用音情報の少なくとも一方に基づいて再生用の音情報を生成する部分である。音情報生成部３０３は生成した再生用の音情報を音発生部３０４に出力する。
【００３２】
より具体的に音情報生成部３０３の動作を説明する。音情報生成部３０３は、音声回線用音情報及びデータ回線用音情報が存在する場合には、データ回線用音情報を優先させて再生用の音情報を生成する。図４に、このような条件で音情報生成部３０３が生成する再生用の音情報の例を示す。図４に示す例では、音声回線用音情報及びデータ回線用音情報は５つのデータ区間から構成されている。第１受信部３０１が受信して出力する音声回線用音情報は「ａ」「ｂ」「ｃ」「ｄ」「ｅ」の各データブロックから構成されている。この音声回線用音情報に対応するデータ回線用音情報は「Ａ」「Ｂ」「Ｃ」「Ｄ」「Ｅ」であるが、このデータ回線用音情報が完全に受信情報格納部３１０に格納されるのは、Ｔ４の時間帯である。従って、Ｔ１〜Ｔ３の時間帯においてはデータ回線用音情報の一部分のみが受信情報格納部３１０に格納されているので、音情報生成部３０３は音声回線用音情報に基づいて「ａ」「ｂ」「ｃ」「ｄ」「ｅ」を再生用の音情報として生成する。また、Ｔ４〜Ｔ５の時間帯においてはデータ回線用音情報が全て受信情報格納部３１０に格納されているので、音情報生成部３０３はデータ回線用音情報に基づいて「Ａ」「Ｂ」「Ｃ」「Ｄ」「Ｅ」を再生用の音情報として生成する。
【００３３】
音情報生成部３０３の別の動作について説明する。音情報生成部３０３は、音声回線用音情報及びデータ回線用音情報を重ね合わせて再生用の音情報を生成する。図５に、このような条件で音情報生成部３０３が生成する再生用の音情報の例を示す。図５に示す例においても、音声回線用音情報及びデータ回線用音情報は５つのデータ区間から構成されている。第１受信部３０１が受信して出力する音声回線用音情報は「ａ」「ｂ」「ｃ」「ｄ」「ｅ」の各データブロックから構成されている。この音声回線用音情報に対応するデータ回線用音情報は「Ａ」「Ｂ」「Ｃ」「Ｄ」「Ｅ」である。音情報生成部３０３は、Ｔ１〜Ｔ５の各時間帯において、受信済みのデータ回線用音情報と音声回線用音情報とを重ね合わせて再生用の音情報を生成している。例えば、Ｔ２の時間帯においては、データ回線用音情報は「Ｂ」と「Ｃ」が格納されているので、音情報生成部３０３は、対応する音声回線用音情報「ｂ」「ｃ」と重ね合わせて、この区間の音情報を「Ｂｂ」「Ｃｃ」とし、全体としては「ａ」「Ｂｂ」「Ｃｃ」「ｄ」「ｅ」とした再生用の音情報を生成する。
【００３４】
音発生部３０４は、音情報生成部３０３が生成した再生用の音情報に基づいて音を発生する部分である。
【００３５】
本実施形態の作用効果について説明する。音情報提供装置１０は、音声回線用音情報と並行してデータ回線用音情報を送信するので、より高音質な音を発生させるための情報を発呼側の携帯電話機３０に提供できる。音声回線用音情報及びデータ回線用音情報が双方共に存在する場合に、音情報生成部３０３がデータ回線用音情報を優先させて再生用の音情報を生成すれば、簡便に再生用の音情報を生成できる。また、音声回線用音情報及びデータ回線用音情報が双方共に存在する場合に、音情報生成部３０３が音声回線用音情報及びデータ回線用音情報を重ね合せて再生用の音情報を生成すれば、より的確に再生用の音情報を生成できる。
【図面の簡単な説明】
【００３６】
【図１】本実施形態である音情報提供システムの構成を示す図である。
【図２】図１の音情報格納部に格納されている情報の例を示す図である。
【図３】図１の音情報格納部に格納されている情報の例を示す図である。
【図４】図１の音情報生成部が生成する音情報の例を示す図である。
【図５】図１の音情報生成部が生成する音情報の例を示す図である。
【符号の説明】
【００３７】
１ａ…音情報提供システム、１０…音情報提供装置、２０…移動体通信網、３０…携帯電話機、３５…携帯電話機、１０１…受信部、１０２…音情報取得部、１０３…第１送信部、１０４…第２送信部、１１０…音情報格納部、３０１…第１受信部、３０２…第２受信部、３０３…音情報生成部、３０４…音発生部、３１０…受信情報格納部。
【図１】
2005328191.tif 000003
【図２】
2005328191.tif 000004
【図３】
2005328191.tif 000005
【図４】
2005328191.tif 000006
【図５】
2005328191.tif 000007